【手続補正書】
【提出日】平成30年7月23日(2018.7.23)
【手続補正１】
【補正対象書類名】明細書
【補正対象項目名】００２７
【補正方法】変更
【補正の内容】
【００２７】
第１コイル列６１は、かご１０ａの上昇に使用され、第２コイル列６２は、かご１０ａ−ｄの下降に使用される。図１等に示すように、第１コイル列６１は、第１レール５１ａ−ｂの各々に沿って第１昇降路５ａ用の乗降口３ａ、３ｂ、３ｄ、３ｆ、３ｈ側に設けられており、第２コイル列６２は、第２レール５２ａ−ｂの各々に沿って第２昇降路５ｂ用の乗降口３ｃ、３ｅ、３ｇ、３ｉ、３ｊ側に設けられている。
【手続補正２】
【補正対象書類名】明細書
【補正対象項目名】００２８
【補正方法】変更
【補正の内容】
【００２８】
図１及び図４Ａ等に示すように、第１転轍手段７ａの下方には、第１レール５１ａ及び第１レール５１ｂに夫々沿って、一対の第３コイル列６３が、第１コイル列６１とは反対側に（つまり、第２昇降路５ｂ用の乗降口３ｃ、３ｅ、３ｇ、３ｉ、３ｊ側に）設けられている。第３転轍手段７ｃと第４転轍手段７ｄとの間には、第１レール５１ａ及び第１レール５１ｂに夫々沿って、一対の第４コイル列６４が、第１コイル列６１とは反対側に設けられている。第３コイル列６３及び第４コイル列６４は、第２コイル列６２と同様にかご１０ａ−ｄの下降に使用される。なお、図１では、第１レール５１ａに沿って配置された第３コイル列６３と第４コイル列６４のみが図示されている。
【手続補正３】
【補正対象書類名】明細書
【補正対象項目名】００３０
【補正方法】変更
【補正の内容】
【００３０】
図２、図３Ａ及び図３Ｂに示すように、かご１０ａ−ｄの外枠１４の両側には、矩形の取付板２１ａ−ｂが夫々設けられている。図２にて右側に示されている取付板２１ａには、リニアモータ機構の可動子を構成する第１磁石アセンブリ群２２ａ及び第３磁石アセンブリ群２２ｃが設けられている。図２にて左側に示されている取付板２１ｂには、リニアモータ機構の可動子を構成する第２磁石アセンブリ群２２ｂと第４磁石アセンブリ群２２ｄが設けられている。第１乃至第４磁石アセンブリ群２２ａ−ｄの各々は、鉛直方向に沿って一列に並べて配設された複数の磁石アセンブリ２３ａ−ｌから構成されている。
【手続補正４】
【補正対象書類名】明細書
【補正対象項目名】００５６
【補正方法】変更
【補正の内容】
【００５６】
上昇用コイル列７２ｃ、下降用コイル列７３ｃ、第１スライド部材７４ｃの上昇用コイル列７９ｃと下降用コイル列８０ｃ、第２スライド部材７５ｃの上昇用コイル列８４ｃと下降用コイル列８５ｃも、第１コイル列６１等と同様にコイル群装置３０を単位として構成されており、これらコイル列を構成するコイル群装置３０間の間隔が（構成するコイル群装置３０の数が複数である場合には）６ｓ（ｓ＝スロットピッチ）となるように配置される。また、昇降路の切替え時において、これらのコイル列の各々と、それに隣接するコイル列の間の間隔も６ｓとされる。
【手続補正５】
【補正対象書類名】明細書
【補正対象項目名】００５７
【補正方法】変更
【補正の内容】
【００５７】
図９Ａに示すように、通常状態では、第１レールセグメント７６ｃが第１レール５１ａの一部を構成し、第１レールセグメント８１ｃが第２レール５２ａの一部を構成するように、第１スライド部材７４ｃ及び第２スライド部材７５ｃは配置されている。通常状態では、コイル列７７ｃは、第１コイル列６１の一部を構成しており、コイル列８２ｃは、第２コイル列６２の一部を構成している。
【手続補正６】
【補正対象書類名】明細書
【補正対象項目名】００７０
【補正方法】変更
【補正の内容】
【００７０】
第２スライド部材７５ｅは、第２レール５２ａ側に設けられており、水平方向に摺動自在に構成されている。第２スライド部材７５ｅの主面には、通常状態にて第２レール５２ａの一部を構成する第１レールセグメント８１ｅと、通常状態にて第２コイル列６２の一部を構成するコイル列８２ｅとが設けられている。第２スライド部材７５ｅは更に、昇降路の切替え時において、転轍レールセグメント７１ｅと第２レール５２ａ（より具体的には、第１レールセグメント８１ｅが分離したことで生じる第２レール５２ａの下側領域）との間を繋ぐ第２レールセグメント８３ｅと、第６コイル列６６と上昇用コイル列７２ｅとの間を繋ぐ上昇用コイル列８４ｅとを備えている。上昇用コイル列８４ｅは、第２レールセグメント８３ｅに沿って配置されている。
【手続補正７】
【補正対象書類名】明細書
【補正対象項目名】００７９
【補正方法】変更
【補正の内容】
【００７９】
このように、かご１０ａ−ｄの昇降動作中、かご１０ａ−ｄによって何れかのリミットスイッチ３８が押されたコイル群装置３０の接続状態と、かご１０ａ−ｄの進行方向に沿って当該コイル群装置３０の１つ先にあるコイル群装置３０の接続状態とが第１接続状態となり、それら以外のコイル群装置３０の接続状態が第２接続状態となる。第１接続状態になったコイル群装置３０の各々のコイル３３ａ−ｃは、当該コイル群装置３０の対応するインバータ装置４０によって励磁されて、リニアモータ機構の固定子として機能する。かご１０ａ−ｄの位置が変化するのに伴って、第１接続状態になってコイル３３ａ−ｃが励磁されるコイル群装置３０は、順次切り替わっていく。かご１０ａ−ｄが存在するコイル群装置３０とその１つ先のコイル群装置３０という，かご１０ａ−ｄの移動に必要最小限のコイル群装置３０のみに通電されるので、エレベーター装置１では、かご１０ａ−ｄの省エネルギー運転が実現されている。
【手続補正８】
【補正対象書類名】明細書
【補正対象項目名】００８７
【補正方法】変更
【補正の内容】
【００８７】
第１昇降路５ａから第２昇降路５ｂへとかご１０ａ−ｄを移動させる際には、第２転轍手段７ｂの転轍機構のスライド部材は、通常状態（最上階乗降口３ｊから出発したかご１０ａ−ｄを第２昇降路５ｂにて下降させる状態）から移動して、第２転轍手段７ｂの転轍機構の第２レールセグメントは、第１レール５１ａと、第２転轍手段７ｂの転轍機構の第１レールセグメントが分離することで生じる第２レール５２ａの上側領域とを連結する。第２転轍手段７ｂの転轍機構の上昇用コイル列は、第１コイル列６１と第５コイル列６５との間に挿入される。第２転轍手段７ｂの転轍機構のその他の事項については、第３転轍手段７ｃと同様であるか、本明細書の記載から理解できるので説明を省略する。
【手続補正９】
【補正対象書類名】明細書
【補正対象項目名】００９１
【補正方法】変更
【補正の内容】
【００９１】
第２昇降路５ｂから第１昇降路５ａからへとかご１０ａ−ｄを移動させる際には、第１転轍手段７ａの転轍機構のスライド部材は、通常状態（最下階乗降口３ａから出発したかご１０ａ−ｄを第１昇降路５ａにて上昇させる状態）から移動して、第１転轍手段７ａの転轍機構の第２レールセグメントは、第２レール５２ａと、第１転轍手段７ａの転轍機構の第１レールセグメントが分離することで生じる第１レール５１ａの下側領域とを連結する。第１転轍手段７ａの転轍機構の下降用コイル列は、第２コイル列６２と第３コイル列６３との間に挿入される。第１転轍手段７ａの転轍機構のその他の事項については、第３転轍手段７ｃと同様であるか、本明細書の記載から理解できるので説明を省略する。
【手続補正１０】
【補正対象書類名】明細書
【補正対象項目名】００９５
【補正方法】変更
【補正の内容】
【００９５】
例えば、第１昇降路５ａにて、かご１０ａが先行するかご１０ｂを追い越す場合、まず、かご１０ｂが、第３転轍手段７ｃと第５転轍手段７ｅの間にて第１昇降路５ａ側に存在する乗降口３ｆに着床させられる。その後、通常状態にある第３転轍手段７ｃ及び第５転轍手段７ｅが動作して、乗降口３ｆを迂回する迂回路が構成される。迂回路は、第３転轍手段７ｃ及び第５転轍手段７ｅと、第３転轍手段７ｃと第５転轍手段７ｅの間にある（第３転轍手段７ｃ及び第５転轍手段７ｅの動作により分離された）第２レール５２ａ−ｄの一部と、当該２レール５２ａ−ｄの一部に沿って設けられた上昇用の一対の第６コイル列６６とで構成されている。
【手続補正１１】
【補正対象書類名】明細書
【補正対象項目名】０１０５
【補正方法】変更
【補正の内容】
【０１０５】
第２昇降路５ｂを下降したかご１０ａ−ｄは、第８転轍手段７ｈが動作することで、第１昇降路５ａに移動し、先の実施例と同様に、最下階乗降口３ａに至って、その後、第１昇降路５ａを上昇することができる。また、第２昇降路５ｂを下降したかご１０ａ−ｄは、第８転轍手段７ｈを動作させることなく最下階乗降口３ａ'に至ってもよい。最下階乗降口３ａ'に至ったかご１０ａ−ｄは、かご１０ａ−ｄの上昇用のコイル列９４が駆動することで第２昇降路５ｂを上昇し、第９転轍手段７ｉが動作することで、第２昇降路５ｂから第１昇降路５ａに移動する。そして、かご１０ａ−ｄは、第１昇降路５ａを上昇する。
【手続補正１２】
【補正対象書類名】特許請求の範囲
【補正対象項目名】請求項１
【補正方法】変更
【補正の内容】
【請求項１】
複数のかごと、前記複数のかごの各々が主として上向きに走行する第１昇降路と、前記複数のかごの各々が主として下向きに走行する第２昇降路とを備えており、最上階乗降口付近にて前記複数のかごの各々が前記第１昇降路から前記第２昇降路に移動可能に構成されており、最下階乗降口付近にて前記複数のかごの各々が前記第２昇降路から前記第１昇降路に移動可能に構成されており、前記複数のかごの各々は前記第１昇降路及び前記第２昇降路を循環的に走行可能なロープレスエレベーター装置であって、
前記複数のかごの各々は、リニアモータ方式で駆動され、
前記第１昇降路及び前記第２昇降路の各々には、固定子として機能するコイル群が敷設されており、
前記複数のかごの各々には、可動子として機能する複数の磁石アセンブリが設けられており、前記複数の磁石アセンブリの各々は、前記コイル群と対向配置される複数の磁石を備えており、
前記最上階乗降口と前記最下階乗降口の間には、前記第１昇降路と前記第２昇降路との間での前記複数のかごの各々の移動を双方向に可能とする第１の転轍手段が設けられており、
前記第１の転轍手段の下方には、前記第１昇降路から前記第２昇降路への前記複数のかごの各々の移動を可能とする第２の転轍手段が設けられており、前記第１の転轍手段の上方には、前記第２昇降路から前記第１昇降路への前記複数のかごの各々の移動を可能とする第３の転轍手段が設けられている、ロープレスエレベーター装置。